(57)【要約】  【課題】  枢支部を支点とする回転モーメントを副シャーシに発生させることなく記録装置全体の厚さを薄くすることができる記録装置を提供する。  【解決手段】  記録媒体を回転させる電動モータ１が搭載された主シャーシ２と、該主シャーシ２に枢軸３，３によりチルト調整可能に支持された副シャーシ４と、該副シャーシ４に支持され、前記記録媒体にデータの書き込み及び／又は読み取りを行う光ヘッド６とを備えており、前記枢軸３，３は副シャーシ４の両側部からチルト中心線と平行的に延出されており、主シャーシ２は前記枢軸３，３の周面に接触し、該枢軸３，３をラジアル方向へ弾圧する板ばね１０，１０を備えている構成とした。【選択図】      図１  
2005310318.tif 000002
【特許請求の範囲】
【請求項１】
記録媒体を回転させる電動モータが搭載された主シャーシと、該主シャーシに枢軸によりチルト調整可能に支持された副シャーシと、該副シャーシに支持され、前記記録媒体にデータの書き込み及び／又は読み取りを行う光ヘッドとを備えた記録装置において、前記枢軸は前記副シャーシの両側部からチルト中心線と平行的に延出されており、前記主シャーシは前記枢軸の周面に接触し、該枢軸をラジアル方向へ弾圧する板ばねを備えていることを特徴とする記録装置。
【請求項２】
前記板ばねは前記副シャーシをチルト中心線の長手方向へ弾圧する弾圧部を有する請求項１記載の記録装置。
【請求項３】
前記板ばねは、一端部が前記主シャーシに取着されており、前記弾圧部は前記一端部と一体に成形されている請求項２記載の記録装置。
【請求項４】
記録媒体を回転させる電動モータが搭載された主シャーシと、該主シャーシにその一面が対向し、枢支手段によりチルト調整可能に支持された副シャーシと、該副シャーシに支持され、前記記録媒体にデータの書き込み及び／又は読み取りを行う光ヘッドとを備えた記録装置において、前記副シャーシは、枢支位置近傍に副シャーシの他面よりも一面側に低い被弾圧部を有しており、前記主シャーシは前記被弾圧部を主シャーシ方向へ弾圧する板ばねを備えていることを特徴とする記録装置。
【発明の詳細な説明】
【技術分野】
【０００１】
本発明はコンパクトディスク（ＣＤ）、デジタルバーサタイルディスク（ＤＶＤ）、ミニディスク（ＭＤ）等の記録装置に関する。
【背景技術】
【０００２】
ＤＶＤ等の記録装置は、モータ軸の端部にディスク装着部を有する電動モータと、該電動モータを支持したシャーシと、記録媒体としてのディスクにデータの書き込み及び／又は読み取りを行う光ヘッドと、該光ヘッドをディスクの径方向にトラバース動作させるトラバース機構とを備えており、前記電動モータの駆動によりディスクを回転させ、該ディスクに対して前記光ヘッドをディスクの半径方向へ移動させるように構成されている（例えば、特許文献１）。
【０００３】
このように構成された記録装置においては、記録すべきデータに対応して変調された光ビームを光ヘッドの対物レンズに通し、光スポットに集光してディスク表面に形成された同心円状の記録トラック上に投射し、該記録トラック上に反転磁区である記録マークを形成することで記録を行い、また、ディスク表面からの反射光を対物レンズで集光して取り出し、これをデータに変換処理することで再生を行っているため、記録媒体に対する光ヘッドの傾きを調整可能とし、光ディスクのトラック位置に合わせて光スポットの合焦位置を変更可能に構成されている。
【０００４】
光ヘッドの傾き調整は、光ヘッドに設けられた傾き調整機構により行うタイプと、前記電動モータを支持した主シャーシに、該主シャーシにその一面が対向し、前記光ヘッドが支持された副シャーシを枢軸によりチルト調整可能に支持し、該副シャーシのチルト量を調整することにより行うタイプとが知られている。
【０００５】
副シャーシを備える記録装置にあっては、副シャーシの主シャーシに対するガタ付きをなくする必要がある。このガタ付きをなくする手段として、副シャーシの枢支部と偏倚した複数の位置を主シャーシ側へ引張る引張ばねを設けるか、又は、枢支部近傍の副シャーシの他面（主シャーシと反対側面）を主シャーシ側へ弾圧する板ばねを設けている。
【特許文献１】特開平４−６１０５９号公報
【発明の開示】
【発明が解決しようとする課題】
【０００６】
ところが、以上のように副シャーシのガタ付きをなくする手段として引張ばねが用いられた記録装置にあっては、枢支部を支点とする回転モーメントが副シャーシに発生し、副シャーシのチルト調整位置を安定させ難いという問題があり、また、副シャーシの他面を弾圧する板ばねが用いられた記録装置にあっては、副シャーシに板バネが重ねられた構成となるため、主シャーシ及び副シャーシが対向する方向の厚さ、ひいては記録装置全体の厚さが引張ばねを用いるタイプに比べて厚くなるという問題があった。
【０００７】
本発明は斯かる事情に鑑みてなされたものであり、主たる目的は副シャーシを枢支する枢軸を副シャーシの両側部からチルト中心線と平行的に延出された構成とし、この枢軸の周面に接触し、該枢軸をラジアル方向へ弾圧する板ばねを主シャーシに設けることにより、枢軸を支点とする回転モーメントが副シャーシに発生するのを防ぐことができ、しかも、記録装置全体の厚さを薄くすることができる記録装置を提供することにある。
【０００８】
また、他の目的は、副シャーシをチルト中心線の長手方向へ弾圧する弾圧部を板ばねが有する構成とすることにより、副シャーシのチルト中心線方向の位置調整用ばねを削減できる記録装置を提供することにある。
【０００９】
また、他の目的は、一端部が主シャーシに取着された板ばねとし、前記弾圧部を前記一端部と一体に成形することにより、組込み作業性を向上できる記録装置を提供することにある。
【００１０】
また、他の目的は、副シャーシを、枢支位置近傍に副シャーシの他面よりも一面側に低い被弾圧部を有する構成とし、被弾圧部を主シャーシ方向へ弾圧する板ばねを主シャーシに設けることにより、枢軸を支点とする回転モーメントが副シャーシに発生するのを防ぐことができ、しかも、記録装置全体の厚さを薄くすることができる記録装置を提供することにある。
【課題を解決するための手段】
【００１１】
本発明に係る記録装置は、記録媒体を回転させる電動モータが搭載された主シャーシと、該主シャーシに枢軸によりチルト調整可能に支持された副シャーシと、該副シャーシに支持され、前記記録媒体にデータの書き込み及び／又は読み取りを行う光ヘッドとを備えた記録装置において、前記枢軸は前記副シャーシの両側部からチルト中心線と平行的に延出されており、前記主シャーシは前記枢軸の周面に接触し、該枢軸をラジアル方向へ弾圧する板ばねを備えていることを特徴とする。
【００１２】
この発明にあっては、副シャーシをチルト調整可能に枢支する枢軸の周面に板ばねが接触し、枢軸をラジアル方向へ弾圧しているため、枢軸を支点とする回転モーメントが副シャーシに発生するのを防ぐことができ、副シャーシのチルト調整位置を安定させ易い。また、枢軸の周面に接触する板ばねを副シャーシの他面よりも低い位置に配置することができるため、主シャーシ及び副シャーシが対向する方向の厚さ、ひいては記録装置全体の厚さを薄くすることができる。
【００１３】
また、本発明に係る記録装置は、前記板ばねは前記副シャーシをチルト中心線の長手方向へ弾圧する弾圧部を有することを特徴とする。
【００１４】
この発明にあっては、副シャーシのチルト調整を行う板ばねが、副シャーシをチルト中心線の長手方向へ弾圧する弾圧部を有するため、副シャーシのチルト中心線方向の位置調整用ばねを削減できる。
【００１５】
また、本発明に係る記録装置は、前記板ばねは、一端部が前記主シャーシに取着されており、前記弾圧部は前記一端部と一体に成形されていることを特徴とする。
【００１６】
この発明にあっては、副シャーシを２方向へ弾圧するばねを一体に成形することができ、組込み作業性を向上できる。
【００１７】
また、本発明に係る記録装置は、記録媒体を回転させる電動モータが搭載された主シャーシと、該主シャーシにその一面が対向し、枢支手段によりチルト調整可能に支持された副シャーシと、該副シャーシに支持され、前記記録媒体にデータの書き込み及び／又は読み取りを行う光ヘッドとを備えた記録装置において、前記副シャーシは、枢支位置近傍に副シャーシの他面よりも一面側に低い被弾圧部を有しており、前記主シャーシは前記被弾圧部を主シャーシ方向へ弾圧する板ばねを備えていることを特徴とする。
【００１８】
この発明にあっては、枢支位置近傍であり、他面よりも主シャーシに対向する一面側に低い被弾圧部を副シャーシが有しており、該被弾圧部を板ばねが弾圧しているため、枢支部を支点とする回転モーメントが副シャーシに発生するのを防ぐことができ、副シャーシのチルト調整位置を安定させ易い。また、被弾圧部を弾圧する板ばねを副シャーシの他面よりも低い位置に配置することができるため、主シャーシ及び副シャーシが対向する方向の厚さ、ひいては記録装置全体の厚さを薄くすることができる。
【発明の効果】
【００１９】
本発明によれば、枢軸を支点とする回転モーメントが副シャーシに発生するのを防ぐことができ、しかも、記録装置全体の厚さを薄くすることができる。
【００２０】
また、本発明によれば、副シャーシのチルト中心線方向の位置調整用ばねを削減できる。
【００２１】
また、本発明によれば、副シャーシを２方向へ弾圧するばねを一体に成形することができ、組込み作業性を向上できる。
【発明を実施するための最良の形態】
【００２２】
以下本発明をその実施の形態を示す図面に基づいて詳述する。図１は本発明に係る記録装置の構成を示す平面図、図２は一部を切欠いた正面図、図３は要部を拡大した縦断正面図、図４は要部を拡大した平面図、図５は板ばねの斜視図である。
【００２３】
この記録装置は記録媒体としてのディスクＡを回転させる電動モータ１が搭載された枠形の主シャーシ２と、該主シャーシ２の両側部に２つの枢軸３，３によりチルト調整可能に支持された枠形の副シャーシ４と、該副シャーシ４に２本の案内軸５，５を介して支持され、前記ディスクＡにデータの書き込み及び／又は読み取りを行う光ヘッド６と、主シャーシ２を収容支持する支持体としての筺体７とを備えている。
【００２４】
主シャーシ２は略四角形の枠形をなしており、四角部が緩衝体８を介して筺体７内に支持されている。この主シャーシ２の両側部２ａ，２ａの長手方向中央近傍部は台形凸部２ｂ，２ｂが設けられており、各台形凸部２ｂ，２ｂに、略Ｖ字形の軸受溝９ａを有する軸受体９，９と、各軸受体９，９に枢支する副シャーシ４のガタつきを防ぐための板ばね１０，１０とが小ねじ２０により取着されている。また、一方の側部２ａの台形凸部２ｂには軸受体９と枢軸３の軸長方向へ離隔した位置に１つの枢軸３の端面と対向する保持片２ｃが突設されている。この保持片２ｃにはねじ孔２ｄが穿設されており、該ねじ孔２ｄに、１つの枢軸３の端面に当接する調整ねじ２１が螺着されている。また、両側部２ａ，２ａ間の１つの側部２ｅに電動モータ１が取着されており、また、電動モータ１と反対側の側部にチルト用の小型電動モータ（図示せず）及び該小型電動モータにより回動されるカム（図示せず）が設けられており、該カムの回動により副シャーシ４がチルト調整されるように構成されている。
【００２５】
副シャーシ４は主シャーシ２と離隔して対向する略四角形の枠形をなしており、該副シャーシ４の内側に電動モータ１及び光ヘッド６が配置されている。副シャーシ４の両側部４ａ，４ａの長手方向中央近傍部には枢軸３，３が突設されており、該枢軸３，３が軸受体９，９の軸受溝９ａ，９ａに係合した状態で板ばね１０，１０が枢軸３，３を軸受溝９ａ，９ａに弾圧している。枢軸３，３は副シャーシ４の主シャーシ２と対向する一面に取着されている。
【００２６】
板ばね１０，１０は枢軸３，３をラジアル方向へ弾圧する帯板部１０ａ，１０ａと、該帯板部１０ａ，１０ａの一端側で板厚方向へ屈曲する２つの屈曲部を介して帯板部１０ａ，１０ａと平行的に連なる固定板部１０ｂ，１０ｂとを有するばね鋼板からなる。一方の板ばね１０には一方の枢軸３を軸長方向へ弾圧する帯板状の弾圧部１０ｃが一体に成形されている。この弾圧部１０ｃは固定板部１０ｂの帯板部１０ａと離隔した位置から固定板部１０ｂと直交的に屈曲され、帯板部１０ａと同方向へ延出されている。このように構成された板ばね１０，１０は固定板部１０ｂ，１０ｂに穿設された貫通孔１０ｄ，１０ｄに挿通される小ねじ２０により固定板部１０ｂ，１０ｂが台形凸部２ｂ，２ｂに取着され、帯板部１０ａ，１０ａが枢軸３，３の周面に接触して、該枢軸３，３を軸受体９，９方向へ弾圧し、一方の板ばね１０の弾圧部１０ｃが一方の枢軸３の端縁に接触して一方の枢軸３を軸長方向へ弾圧する。
【００２７】
光ヘッド６は書き込むべきデータに対応して変調された光ビームを対物レンズに通し、小サイズの光スポットに集光してディスクＡ表面に形成されたトラック上に投射し、該トラック上に反転磁区である記録マークを形成することで書き込みを行い、また、このディスクＡ表面からの反射光を対物レンズで集光して取り出し、これをデータに変換処理することで読み取りを行っており、トラバース機構２２に搭載されている。
【００２８】
トラバース機構２２は２本の案内軸５，５を介して副シャーシ４にトラバース動作可能に搭載されており、トラバース機構２２のトラバース動作により光ヘッド６をディスクＡの半径方向へ動作させるように構成されている。
【００２９】
以上のように構成された記録装置は副シャーシ４の両側部４ａ，４ａに突設された枢軸３，３を板ばね１０，１０の帯板部１０ａ，１０ａが弾圧しているため、枢軸３，３を支点とする回転モーメントが副シャーシ４に発生するのを防ぐことができ、副シャーシ４のチルト調整位置を安定させ易い。しかも、板ばね１０，１０は帯板部１０ａ，１０ａが枢軸３，３の周面に接触し、枢軸３，３を軸受体９，９方向へ弾圧しているため、板ばね１０，１０を副シャーシ４の他面（主シャーシと反対側の面）よりも低い位置に配置することができ、主シャーシ２及び副シャーシ４が対向する方向の厚さ、ひいては記録装置全体の厚さを薄くすることができ、また、副シャーシ４をチルト中心線の長手方向へ弾圧する弾圧部１０ｃを一方の板ばね１０が有するため、副シャーシ４のチルト中心線方向の位置調整用ばねを削減でき、部品点数を少なくすることができる。また、副シャーシ４のチルト中心線方向の位置は、一方の板ばね１０の弾圧部１０ｃと、主シャーシ２の保持片２ｃに螺着された調整ねじ２１とにより調整される。
【００３０】
尚、以上説明した実施の形態では副シャーシ４の両側部４ａ，４ａに突設された枢軸３，３を板ばね１０，１０が弾圧するように構成したが、その他、例えば図６、図７のように副シャーシ４の枢支部の近傍部を弾圧するように構成してもよい。図６は要部の他の構成を示す斜視図、図７は図６のVII −VII 線の断面図である。
【００３１】
この実施の形態の記録装置は、副シャーシ４の両側部４ａ，４ａの長手方向中央近傍部の一面に枢軸３ａ，３ａがチルト中心線と直交的に設けられており、また、この枢軸３ａ，３ａの近傍、換言すれば枢支位置近傍に副シャーシ４の他面よりも一面側に低い被弾圧部４１，４１が突設されており、この被弾圧部４１，４１に板ばね１０，１０の帯板部１０ａ，１０ａが接触し、被弾圧部４１，４１を主シャーシ２方向へ弾圧しており、また、一方の板ばね１０に設けられた弾圧部１０ｃが一方の被弾圧部４１の先端に接触し、副シャーシ４をチルト中心線の長手方向へ弾圧しており、この弾圧部１０ｃと、主シャーシ２の保持片２ｃに螺着された調整ねじ２１とにより副シャーシ４のチルト中心線方向の位置が調整されるように構成されている。
【００３２】
この実施の形態にあっても、副シャーシ４の両側部４ａ，４ａに突設された被弾圧部４１，４１を板ばね１０，１０が弾圧しているため、枢支部を支点とする回転モーメントが副シャーシ４に発生するのを防ぐことができ、副シャーシ４のチルト調整位置を安定させ易い。しかも、板ばね１０，１０は帯板部１０ａ，１０ａが被弾圧部４１，４１に接触し、被弾圧部４１，４１を軸受体９，９方向へ弾圧しているため、板ばね１０，１０を副シャーシ４の他面（上面）よりも低い位置に配置することができ、主シャーシ２及び副シャーシ４が対向する方向の厚さ、ひいては記録装置全体の厚さを薄くすることができる。
尚、本発明の記録装置は光記録装置に制限されるものでない。
【図面の簡単な説明】
【００３３】
【図１】本発明に係る記録装置の構成を示す平面図である。
【図２】本発明に係る記録装置の一部を切欠いた正面図である。
【図３】本発明に係る記録装置の要部を拡大した縦断正面図である。
【図４】本発明に係る記録装置の要部を拡大した平面図である。
【図５】本発明に係る記録装置の板ばねの斜視図である。
【図６】本発明に係る記録装置の要部の他の構成を示す斜視図である。
【図７】図６のVII −VII 線の断面図である。
【符号の説明】
【００３４】
１    電動モータ  
２    主シャーシ
３，３ａ    枢軸
４    副シャーシ
６    光ヘッド
１０  板ばね
１０ｃ  弾圧部
４１  被弾圧部
【図１】
2005310318.tif 000003
【図２】
2005310318.tif 000004
【図３】
2005310318.tif 000005
【図４】
2005310318.tif 000006
【図５】
2005310318.tif 000007
【図６】
2005310318.tif 000008
【図７】
2005310318.tif 000009